(57)【特許請求の範囲】
【請求項１】
それぞれ隣接する遊技機の間に設置される間柱であって、
当該間柱の本体部に収容され、該本体部の前面に形成された開口から引き出し可能に取り付けられた板状の仕切部と、
前記本体部の内部空間に前記仕切部が収容された状態で、または、該状態となる直前の所定区間にわたって前記仕切部の一部領域と接触する位置関係で設けられており、該接触により前記仕切部の引き出し方向への変位に対する抵抗を発生させる引出抵抗部と、
前記本体部から前記仕切部が引き出された状態で、または、該状態となる直前の所定区間にわたって前記仕切部の一部領域と接触する位置関係で設けられており、該接触により前記仕切部の収容方向への変位に対する抵抗を発生させる収容抵抗部と、を備えており、
前記仕切部のうち、少なくとも該仕切部を前記本体部の内部空間に収容した状態で前記本体部の内壁と接触する位置が金属材料で構成されている場合において、
前記引出抵抗部は、前記本体部の内壁のうち、内部空間に前記仕切部を収容した状態で前記仕切部の一部領域と接触する位置に設けられたマグネット部材であり、磁力により前記仕切部の引き出し方向への変位に対する抵抗を発生させる
ことを特徴とする間柱。
【請求項２】
それぞれ隣接する遊技機の間に設置される間柱であって、
当該間柱の本体部に収容され、該本体部の前面に形成された開口から引き出し可能に取り付けられた板状の仕切部と、
前記本体部の内部空間に前記仕切部が収容された状態で、または、該状態となる直前の所定区間にわたって前記仕切部の一部領域と接触する位置関係で設けられており、該接触により前記仕切部の引き出し方向への変位に対する抵抗を発生させる引出抵抗部と、
前記本体部から前記仕切部が引き出された状態で、または、該状態となる直前の所定区間にわたって前記仕切部の一部領域と接触する位置関係で設けられており、該接触により前記仕切部の収容方向への変位に対する抵抗を発生させる収容抵抗部と、を備えており、
前記本体部の内壁のうち、少なくとも該本体部の内部空間に前記仕切部を収容した状態で前記仕切部の一部領域と接触する位置が金属材料で構成されている場合において、
前記引出抵抗部は、前記仕切部のうち、該仕切部を前記本体部の内部空間に収容した状態で前記本体部の内壁と接触する位置に設けられたマグネット部材であり、磁力により前記仕切部の引き出し方向への変位に対する抵抗を発生させる
ことを特徴とする間柱。
【請求項３】
それぞれ隣接する遊技機の間に設置される間柱であって、
当該間柱の本体部に収容され、該本体部の前面に形成された開口から引き出し可能に取り付けられた板状の仕切部と、
前記本体部の内部空間に前記仕切部が収容された状態で、または、該状態となる直前の所定区間にわたって前記仕切部の一部領域と接触する位置関係で設けられており、該接触により前記仕切部の引き出し方向への変位に対する抵抗を発生させる引出抵抗部と、
前記本体部から前記仕切部が引き出された状態で、または、該状態となる直前の所定区間にわたって前記仕切部の一部領域と接触する位置関係で設けられており、該接触により前記仕切部の収容方向への変位に対する抵抗を発生させる収容抵抗部と、を備えており、
前記収容抵抗部は、前記本体部から前記仕切部が引き出された状態となる直前の所定区間にわたって前記仕切部の一部領域と接触する位置に設けられたバネ部材であり、該一部領域を収容方向と交差する方向へ押圧することにより前記仕切部の収容方向への変位に対する抵抗を発生させる
ことを特徴とする間柱。
【発明の詳細な説明】
【技術分野】
【０００１】
本発明は、それぞれ隣接する遊技機の間に設置される間柱の取付構造に関する。
【背景技術】
【０００２】
それぞれ隣接する遊技機の間には配置された間柱に関し、近年では、この間柱に収容された板状の仕切部を引き出し、必要に応じて遊技者間のスペースを仕切れるように構成したものも提案されている（特許文献１参照）。
【先行技術文献】
【特許文献】
【０００３】
【特許文献１】特開２０１２−０１１１４０号公報
【発明の概要】
【発明が解決しようとする課題】
【０００４】
この種の間柱においては、仕切部を収納状態とすべきときであるにも関わらず引出方向に変位して収納状態を保てなくなったり、引出状態とすべきであるにも関わらず収容方向に変位して引出状態を保てなくなる、などといった不具合が生じないよう仕切部を取り付ける必要がある。
【０００５】
また、近年では、より大きなサイズの仕切部で遊技者を仕切ることへの要請もあり、これに応えるには、多段階で引出される構造とするなど仕切部としての重量が大きくなる傾向にあるため、重量バランスの僅かなズレで上記不具合が発生してしまうことのないよう、より精度よく仕切部を取り付けなければならない。しかし、このような高精度での取付は、取付作業だけでなく、各部品そのものにも高い精度が求められることから、コストの増加を招いてしまう課題がある。
【０００６】
本発明は、このような課題を解決するためになされたものであり、その目的は、仕切部を引き出し可能に構成した間柱において、仕切部を収納状態または引出状態に保てなくなるなどといった不具合を生じにくくし、これによりコストの増加を抑えることにも寄与する技術を提供することである。
【課題を解決するための手段】
【０００７】
上記課題を解決するため第１の構成は、それぞれ隣接する遊技機の間に設置される間柱であって、当該間柱の本体部に収容され、該本体部の前面に形成された開口から引き出し可能に取り付けられた板状の仕切部と、前記本体部の内部空間に前記仕切部が収容された状態で、または、該状態となる直前の所定区間にわたって前記仕切部の一部領域と接触する位置関係で設けられており、該接触により前記仕切部の引き出し方向への変位に対する抵抗を発生させる引出抵抗部と、前記本体部から前記仕切部が引き出された状態で、または、該状態となる直前の所定区間にわたって前記仕切部の一部領域と接触する位置関係で設けられており、該接触により前記仕切部の収容方向への変位に対する抵抗を発生させる収容抵抗部と、を備えている。
【０００８】
このように構成された間柱であれば、本体部に仕切部が収容された状態で、または、該状態となる直前の所定区間にわたって、仕切部の引き出し方向への変位に対する抵抗を引出抵抗部により発生させることができ、また、本体部から仕切部が引き出された状態で、または、該状態となる直前の所定区間にわたって仕切部の収容方向への変位に対する抵抗を収容抵抗部により発生させることができる。
【０００９】
そのため、仕切部を引き出し可能に構成した間柱において、仕切部を収納状態または引出状態に保てなくなるなどといった不具合を生じにくくすることができる。そして、この構成であれば、取付作業や各部品そのものについても従来より高い精度が求められることはないため、こうしてコストの増加を抑えることができる。
【００１０】
上記構成において、前記仕切部のうち、少なくとも該仕切部を前記本体部の内部空間に収容した状態で前記本体部の内壁と接触する位置が金属材料で構成されている場合であれば、以下の第２の構成のようにすることが考えられる。
【００１１】
第２の構成において、前記引出抵抗部は、前記本体部の内壁のうち、内部空間に前記仕切部を収容した状態で前記仕切部の一部領域と接触する位置に設けられたマグネット部材であり、磁力により前記仕切部の引き出し方向への変位に対する抵抗を発生させる。
【００１２】
同様に、上記構成において、前記本体部の内壁のうち、少なくとも該本体部の内部空間に前記仕切部を収容した状態で前記仕切部の一部領域と接触する位置が金属材料で構成されている場合であれば、以下の第３の構成のように構成することも考えられる。
【００１３】
第３の構成において、前記引出抵抗部は、前記仕切部のうち、該仕切部を前記本体部の内部空間に収容した状態で前記本体部の内壁と接触する位置に設けられたマグネット部材であり、磁力により前記仕切部の引き出し方向への変位に対する抵抗を発生させる、といった構成である。
【００１４】
これらのように構成された間柱であれば、引出抵抗部としてのマグネット部材の磁力により、仕切部の引き出し方向への変位に対する抵抗を発生させることができる。
また、上記構成においては、以下に示す第４の構成のようにしてもよい。
【００１５】
第４の構成において、前記収容抵抗部は、前記本体部から前記仕切部が引き出された状態となる直前の所定区間にわたって前記仕切部の一部領域と接触する位置に設けられたバネ部材であり、該一部領域を収容方向と交差する方向へ押圧することにより前記仕切部の収容方向への変位に対する抵抗を発生させる。
【００１６】
このように構成された間柱であれば、収容抵抗部としてのバネ部材の押圧力により、仕切部の収容方向への変位に対する抵抗を発生させることができる。
【図面の簡単な説明】
【００１７】
【図１】本発明における間柱を示す斜視図（図１Ａ：収容状態、図１Ｂ：引出状態）
【図２】本発明における間柱を示す側面図（図２Ａ：収容状態、図２Ｂ：引出状態）
【図３】本発明における間柱を示す分解斜視図
【図４】本発明における間柱の要部を示す斜視図（１）
【図５】本発明における間柱の要部を示す斜視図（２）
【発明を実施するための形態】
【００１８】
以下に本発明の実施形態を図面と共に説明する。
（１）全体構成
間柱１は、それぞれ隣接する遊技機の間に設置されるものであり、図１、図２に示すように、本体部１０、仕切部２０、前面パネル３０などを備えている。
【００１９】
本体部１０は、上下方向に延びる収容空間を有しており、前方の開口から仕切部２０を引き出し可能に収容している。また、この本体部１０には、仕切部２０の他、シート状の部材をセットするためのシート収容部１１、引出式のドリンクホルダ１３、電子機器を接続するための接続コネクタ１５なども収容されている。
【００２０】
仕切部２０は、本体部１０に収容され、本体部１０の前面に形成された開口から引き出し可能に取り付けられた板状の部材であり、本実施形態では、３枚の部材でもって段階的に引出および収容できるように構成されている。
【００２１】
本実施形態における仕切部２０は、第１仕切部２１、第２仕切部２３、第３仕切部２５の３つが重ねて配置されており、第１仕切部２１が第２仕切部２３における一方（図１，２における奥側）の面に設けられたレール２１３に沿って内外方向にスライドし、この第２仕切部２３が第３仕切部２５における一方（同上）の面に設けられたレール２３３に沿って内外方向にスライドし、さらに、第３仕切部２５がこの第３仕切部２５における他方（図１，２における手前側）の面に設けられたレール２５３に沿って内外方向へとスライドし、こうして段階的な引出および収容が実現される。
【００２２】
なお、本実施形態において、第１仕切部２１の一部領域は、収容状態においても間柱１の外部に露出し、その露出部分（に設けられた取っ手など）でもって遊技者などによる引出および収容操作が行われることとなる。
【００２３】
前面パネル３０は、本体部１０の前面を塞ぐように取り付けられ、仕切部２０、シート収容部１１、ドリンクホルダ１３および接続コネクタ１５といった本体部１０の収容物にあわせた取付孔が形成されている。
【００２４】
また、本体部１０の内部空間には、図３、図４に示すように、引出抵抗部４０および収容抵抗部５０が設けられている。
引出抵抗部４０は、本体部１０の内部空間に仕切部２０が収容された状態で、または、この状態となる直前の所定区間にわたって仕切部２０の一部領域と接触する位置関係で設けられており、こうした接触により仕切部２０の引き出し方向への変位に対する抵抗を発生させる。
【００２５】
本実施形態においては、仕切部２０のうち、少なくとも仕切部２０を本体部１０の内部空間に収容した状態で本体部１０の内壁と接触する位置が金属材料で構成されており、この構成に応じた引出抵抗部４０となっている。この引出抵抗部４０の例としては、本体部１０の内壁のうち、この内部空間に仕切部２０を収容した状態で仕切部２０の一部領域と接触する位置に設けられたマグネット部材とし、磁力により仕切部２０の引き出し方向への変位に対する抵抗を発生させることが考えられる。
【００２６】
本実施形態では、間柱１前面から本体部１０の内部空間が見えてしまうことを防止すべく、図４、図５に示すように、第３仕切部２５の後端において上下方向に延びる板状の目隠部材２７が配置されている。そして、この目隠部材２７は本体部１０の内壁と接触する位置関係にあることから、この目隠部材２７と接触する位置（奥側の内壁）に帯状のマグネット部材を張り付けることで、このマグネット部材を引出抵抗部４０として機能させている。なお、本実施形態では、仕切部２０の重量バランスやマグネット部材の磁力などを勘案し、目隠部材２７の上方領域にのみ引出抵抗部４０が設けられている。
【００２７】
ここでは、例えば、本体部１０の内壁のうち、少なくとも内部空間に仕切部２０を収容した状態で仕切部２０の一部領域と接触する位置が金属材料で構成されている場合であれば、以下のように構成してもよい。すなわち、仕切部２０のうち、仕切部２０を本体部１０の内部空間に収容した状態で本体部１０の内壁と接触する位置に設けられたマグネット部材とし、磁力により仕切部２０の引き出し方向への変位に対する抵抗を発生させる、といった構成である。
【００２８】
収容抵抗部５０は、本体部１０から仕切部２０が引き出された状態で、または、この状態となる直前の所定区間にわたって仕切部２０の一部領域と接触する位置関係で設けられており、こうした接触により仕切部２０の収容方向への変位に対する抵抗を発生させる。
【００２９】
この収容抵抗部５０の例としては、本体部１０から仕切部２０が引き出された状態となる直前の所定区間にわたって仕切部２０の一部領域と接触する位置に設けられたバネ部材とし、この一部領域を収容方向と交差する方向へ押圧することにより仕切部２０の収容方向への変位に対する抵抗を発生させることが考えられる。
【００３０】
本実施形態では、図４に示すように、仕切部２０が引き出された状態となるまでの所定区間にわたり、上述した目隠部材２７における第１仕切部２１側の側面が、本体部１０の内壁と接触するように収容抵抗部５０としてのバネ部材が取付けられている。なお、本実施形態では、仕切部２０の重量バランスやバネ部材としての押圧力などを勘案し、目隠部材２７の上方領域、下方領域それぞれに１つずつ収容抵抗部５０が設けられている。
【００３１】
この部材は、目隠部材２７の側面に接触し、収容方向と交差する方向（第１仕切部２１〜第３仕切部２５の積層方向）に沿って押圧するように設けられた板バネであり、こうして仕切部２０の収容方向への変位に対する抵抗を発生させることができる。
（２）作用，効果
このように構成された間柱１であれば、本体部１０に仕切部２０が収容された状態で、または、この状態となる直前の所定区間にわたって、仕切部２０の引き出し方向への変位に対する抵抗を引出抵抗部４０により発生させることができ、また、本体部１０から仕切部２０が引き出された状態で、または、この状態となる直前の所定区間にわたって仕切部２０の収容方向への変位に対する抵抗を収容抵抗部５０により発生させることができる。
【００３２】
そのため、仕切部２０を引き出し可能に構成した間柱１において、仕切部２０を収納状態または引出状態に保てなくなるなどといった不具合を生じにくくすることができる。そして、この構成であれば、取付作業や各部品そのものについても従来より高い精度が求められることはないため、こうしてコストの増加を抑えることができる。
【００３３】
また、上記構成であれば、引出抵抗部４０としてのマグネット部材の磁力により、仕切部２０の引き出し方向への変位に対する抵抗を発生させることができる。
また、この構成であれば、収容抵抗部５０としてのバネ部材の押圧力により、仕切部２０の収容方向への変位に対する抵抗を発生させることができる。
（３）変形例
以上、本発明の実施の形態について説明したが、本発明は、上記実施形態に何ら限定されることはなく、本発明の技術的範囲に属する限り種々の形態をとり得ることはいうまでもない。
【００３４】
例えば、上記実施形態では、引出抵抗部４０が磁力により抵抗を発生させ、収容抵抗部５０が押圧力により抵抗を発生させるように構成されたものを例示したが、これらとは反対に、引出抵抗部４０が押圧力により抵抗を発生させ、収容抵抗部５０が磁力により抵抗を発生させるように構成してもよい。
【００３５】
また、上記構成では、引出抵抗部４０および収容抵抗部５０が別々の要素として設けられている構成を例示したが、これらを同一の要素により実現してもよい。
【符号の説明】
【００３６】
１…間柱、１０…本体部、１１…シート収容部、１３…ドリンクホルダ、１５…接続コネクタ、２０…仕切部、２１…第１仕切部、２３…第２仕切部、２５…第３仕切部、２７…目隠部材、３０…前面パネル、４０…引出抵抗部、５０…収容抵抗部、２１３…レール、２３３…レール、２５３…レール。
【図１】
0006773454.tif 000002
【図２】
0006773454.tif 000003
【図３】
0006773454.tif 000004
【図４】
0006773454.tif 000005
【図５】
0006773454.tif 000006